(57)【要約】【課題】減農薬・無農薬方式によって、簡単に害虫の種々の行動抑制するフィルム及び方法を提供する。【解決手段】波長が５００ｎｍ付近より短波長の電磁波はその９０％以上を遮断し、波長５００ｎｍ付近〜６５０ｎｍ程度までの波長の光は７０％以上透過させるフィルム、及び植物栽培区域に夜間において、波長２００ｎｍ付近〜５００ｎｍ付近までの電磁波は、ほぼ全体として０．０５Ｗ／ｍ２（ワット毎平方メートル）以下にし、波長５００ｎｍ付近〜６５０ｎｍ程度までの波長の光は、ほぼ全体として１．０ルクス以上に保つ害虫の行動抑制方法。【選択図】  図１
2004180616.tif 000002
【特許請求の範囲】
【請求項１】
蛍光灯にカバーして用いるものであって、波長が５００ｎｍ付近より短波長の電磁波はその９０％以上を遮断し、波長５００ｎｍ付近〜６５０ｎｍ程度までの波長の光は７０％以上透過させることを特徴とする害虫の行動抑制フィルム。
【請求項２】
蛍光灯管に自然に巻きつくように、筒状にヒートセットしたものである請求項１記載の害虫の行動抑制フィルム。
【請求項３】
植物栽培区域に夜間において、波長２００ｎｍ付近〜５００ｎｍ付近までの電磁波は、ほぼ全体として０．０５Ｗ／ｍ２（ワット毎平方メートル）以下にし、波長５００ｎｍ付近〜６５０ｎｍ程度までの波長の光は、ほぼ全体として１．０ルクス以上に保つ害虫の交尾抑制方法であって、蛍光灯に請求項１記載のフィルムを巻きつけて電磁波の強度を調整することを特徴とする害虫の行動抑制方法。
【発明の詳細な説明】
【０００１】
【発明の属する技術分野】
本発明は、害虫の行動抑制フィルム及び行動抑制方法に関するものである。
【０００２】
【従来の技術】
種々の植物の栽培において害虫は大敵である。よって、農業においてはこの害虫をいかに防除するかが第一の課題といっても過言ではない。
従来は、殺虫剤で害虫を防除することがメインであり、卵から孵化した幼虫及び蛹から羽化した成虫の段階（卵及び蛹には殺虫剤が効きにくい）で殺虫剤を散布し、幼虫及び成虫を防除するよう努めている。
【０００３】
また、夜間の照明（特に紫外線）に集合するような性質を持つ害虫を寄せ付けないように、これを切っているところも多い。
【０００４】
【発明が解決しようとする課題】
しかしながら、対象とする害虫をすべて殺虫することはほぼ不可能である。殺虫剤を相当多量に（所定量以上に）散布しない限り、すべての害虫に殺虫剤をかけることは実際に難しいためである。
また、産卵自体を防止する方法も考えられている。しかし、完全に成功している方法はないようである。
【０００５】
最近では、化学農薬の利用が環境汚染等の問題から敬遠されており、できる限り減農薬・無農薬方式が望まれてきている。
【０００６】
【課題を解決するための手段】
以上のような状況に鑑み、本発明者は鋭意研究の結果本発明害虫の行動抑制フィルム及び行動抑制方法を完成したものであり、その特徴とするところは、フィルムにあっては、蛍光灯にカバーして用いるものであって、波長が５００ｎｍ付近より短波長の電磁波はその９０％以上を遮断し、波長５００ｎｍ付近〜６５０ｎｍ程度までの波長の光は７０％以上透過させる点にあり、行動抑制方法にあっては、植物栽培区域に夜間において、波長２００ｎｍ付近〜５００ｎｍ付近までの電磁波は、ほぼ全体として０．０５Ｗ／ｍ２（ワット毎平方メートル）以下にし、波長５００ｎｍ付近〜６５０ｎｍ程度までの波長の光は、ほぼ全体として１．０ルクス以上に保つ害虫の行動抑制方法であって、蛍光灯に請求項１記載のフィルムを巻きつけて電磁波の強度を調整する点にある。
【０００７】
本発明でいう行動抑制とは、交尾抑制、飛来抑制、吸汁抑制等をいう。即ち、交尾や産卵を抑制する、近づかないようにする、果実等の汁を吸わないようにする等である。
【０００８】
本発明フィルムは、波長が５００ｎｍ付近より短波長の電磁波はその９０％以上を遮断し、５００ｎｍ付近より長波長の電磁波は７０％以上透過させることがポイントである。ここで、５００ｎｍ付近とは、４７０ｎｍ〜５２０ｎｍ程度であり、これ以下の電磁波（可視光と紫外線等）を９０％以上カットするのである。このように、４７０ｎｍ〜５２０ｎｍまで幅があるのは生物が相手であるためである。
これ以下をカットするのは、紫外線に向かって飛来する害虫が多いため、そのような害虫を寄せ付けないためである。
また、波長５００ｎｍ付近〜６５０ｎｍ程度までの波長の光は、その７０％以上を透過させるのである。これは、夜行性の害虫は、夜間に交尾し産卵（吸汁その他の行動も）するものが多い。また、このような長波長の光の有無によって昼か夜の判断をしているようである。よって、この長波長の光があれば昼と錯覚して交尾等をしないことが研究で分かってきたのである。
【０００９】
実験で効果のあった害虫の例としては、交尾抑制としては、シロイチモジヨトウ、ハスモンヨトウ、オオタバコガ、スジキリヨトウ、
飛来抑制としては、ベニフキノメイガ、コクロヒメハマキ、アワノメイガ、チャノホソガ、チャバネアオカメムシ、タマナギンウワバ、ナシヒメシンクイ
吸汁抑制としては、アケビコノハ、アカエグリバ、ヒメエグリバ等であった。
これらも、複数の抑制効果のあるもの等もあり限定するものではない。
【００１０】
このような特殊な電磁波を発生する装置があればそれでよいが、それでは高価で通常の農家には負担が大きいため、本発明者はこれを通常の蛍光灯等にカバーするフィルムで達成しようとして開発したものである。
【００１１】
このような特定波長以下は遮断し、それ以上は遮断しないという効果は、顔料又は染料によって行なう。顔料や染料の種類は自由であり、このような効果があればよい。勿論、それらを複数混合してもよい。
発明者の実験では、アゾ系イエローが好適であり、なかでも、ビスアゾ系がより好適であった。
【００１２】
このような顔料又は染料は、フィルムに練り込んでもよいし、染色しても、コーティングしてもよい。
【００１３】
フィルム本体は、透明であればよく、ＰＥＴ（ポリエステル樹脂）、ＰＣ（ポリカーボネート樹脂）、ＭＳ（スチレンアクリル樹脂）その他、４７０ｎｍ〜５２０ｎｍ程度以上の長波長の電磁波の透過に問題がない限りはどのようなものでもよい。
【００１４】
このフィルムはヒートセットしておいてもよい。ヒートセットとは、加熱することによって、シートを所定の状態に自然となるように成形することをいう。加熱温度は、通常１２０〜１５０℃程度である。また、所定の形状は蛍光灯管より少し細い筒状が好ましい。製法は、蛍光灯管よりわずかに細いものにプラスチックシートを巻きつけ、加熱する方法や、巻いたものを筒に入れその状態で加熱する等自由である。公知の方法でよい。
【００１５】
このようにヒートセットしておけば、蛍光灯管に簡単に巻きつけることができ、ほとんど手間は不要である。勿論、それだけで落下もしないが安全のため粘着テープ等で固定してもよい。
また、シュリンク法や接着、粘着テープ止め等によって、蛍光灯管に予め巻きつけておいてもよい。この場合、蛍光灯管を交換するだけでフィルムを巻く手間は不要である。
【００１６】
次に行動抑制方法について説明する。
これは、請求項１記載のフィルムを用いて、栽培エリアにおける害虫の交尾、産卵等を抑制するもので、植物栽培区域に夜間において、波長２００ｎｍ付近〜５００ｎｍ付近までの電磁波は、ほぼ全体として０．０５Ｗ／ｍ２以下にし、波長５００ｎｍ付近〜６５０ｎｍ程度までの波長の光は、ほぼ全体として１．０ルクス以上に保つ害虫の行動抑制方法であって、蛍光灯に請求項１記載のフィルムを巻きつけて電磁波の強度を調整するものである。
ここで、波長２００ｎｍ付近の意味は、１８０ｎｍ〜２２０ｎｍ程度であり、波長５００ｎｍ付近の意味は、４７０ｎｍ〜５２０ｎｍ程度であり、幅があるのは前記した通りである。
２００ｎｍ〜５００ｎｍにしているのは、この範囲の電磁波に集まる虫が多いためである。
ここでいうほぼ全体とは、植物栽培区域のほぼ全域であり、数学的に１箇所の影もなく、どの隅もすべて等という意味ではない。また、波長２００ｎｍ付近〜５００ｎｍ付近までの電磁波が、例えば１０ｎｍ幅の電磁波強度測定において、その合計値が０．０５Ｗ／ｍ２以下ということである。
０．０５Ｗ以下にしているのは、０．０５Ｗ以上では、引き寄せられる害虫が多くなるためである。
また波長５００ｎｍ付近〜６５０ｎｍ程度までの波長の光を１．０ルクス以上にしているのは、これ以下では交尾等の行動をするものが多くなるためである。
【００１７】
本発明は、この栽培エリアへの電磁波の波長の違いによる照射程度の差を、特別な装置を用いずにカバーフィルムで行なうものである。これは、簡単であること、安価であること、またフィルムによって蛍光灯管の飛散防止にもなる等のメリットからである。
【００１８】
本発明方法は、他の行動抑制方法と併用しても構わない。例えば、性フェロモン放出方法である。
【００１９】
【発明の実施の形態】
以下図面に示す実施の形態に基づいて、本発明をより詳細に説明する。
図１は、本発明シート１の１例を示す斜視図である。この例の材質は、主材がＰＥＴであり、それに顔料（ビスアゾ系イエロー）をコーティングしている。紫外線に近い範囲がカットされているため、人間の目には、黄色に見える。
ヒートセットによって、内径が約２ｃｍになるよう２〜３回巻き込んだ形状になっている。管径が３２．５ｍｍの蛍光灯管２用である。これを蛍光灯管２に巻きつけるか、その中に蛍光灯管を挿入すればよい。図２のように巻きつければよい。
【００２０】
図３は、本発明方法を実施している果樹園の模式平面図である。５０ｍ×２０ｍの広さ（１０ａ）の範囲に図のように１２基の蛍光灯２を設置した。それぞれに本発明フィルムを巻きつけた。蛍光灯は通常の４０Ｗ（白色又は昼色）である。
これを点灯すると、ほぼ隅々まで１ルクス以上が確保できた。勿論、蛍光灯に近いところは非常に明るいが、２００ｎｍ〜５００ｎｍはほとんど遮断されているため、走光性のある飛翔昆虫もほとんど集まらない。
波長５００ｎｍ〜６５０ｎｍの電磁波（光）が、ほぼ１．０ルクス確保されているため、ハスモンヨトウ等が卵を産み付けることはほとんどなかった。
【００２１】
【発明の効果】
本発明フィルム及び行動抑制方法には次のような大きな利点がある。
（１）  本発明フィルムを用いると、高価な特殊蛍光灯管を用いることなく、そのような蛍光灯管と同様の発光特性を出すことができる。
（２）  安価である。
（３）  農薬を使用せず害虫を排除できるため環境問題がない。
（４）  紫外線を遮断しているため、紫外線に引き寄せられる害虫も排除でき、暗いところで交尾等する害虫も抑制されるため効果が大きい。
【図面の簡単な説明】
【図１】本発明シート１の１例を示す斜視図である。
【図２】本発明シート１の１例を巻きつけているところを示す斜視図である。
【図３】本発明方法を実施している果樹園の模式平面図である。
【符号の説明】
１  本発明シート
２  蛍光灯管
【図１】
2004180616.tif 000003
【図２】
2004180616.tif 000004
【図３】
2004180616.tif 000005